(57)【特許請求の範囲】
【請求項１】
磁気吸引力を利用した義歯用アタッチメントを永久磁石構造体と共に構成する歯科用キーパーであって、雄ねじ部(1a)に続いて先端側が先細の円錐台形の脚部(1b)が一体に設けられているポスト部(１)と、該ポスト部(１)の雄ねじ部(1a)に螺合される雌ねじ部(2a)が中心に螺設されておりポスト部(１)に螺合された際にポスト部(１)の脚部(1b)と反対側に位置する面が平滑な平面を成す軟磁性材料製の軟磁性体(２)とから構成されていることを特徴とする歯科用キーパー。
【請求項２】
軟磁性体(２)が雌ねじ部(2a)が貫通しているナット状である請求項１に記載の歯科用キーパー。
【請求項３】
軟磁性体(２)が袋ナット状である請求項１に記載の歯科用キーパー。
【発明の詳細な説明】
【０００１】
【発明の属する技術分野】
本発明は、磁気吸引力を利用した義歯用磁性アタッチメントと永久磁石構造体とで構成する歯科用キーパーに関するものであり、更に詳しくは、口腔内の顎堤部に固設するに際して支台歯となる残存歯の根管形成部の深さに関係無く永久磁石構造体に吸着される軟磁性体の口腔内側面の位置を理想的な位置に簡単且つ自由に調整することができる歯科用キーパーに関するものである。
【０００２】
【従来の技術】
口腔内に部分床や全部床の義歯を固定する方法として、近年、義歯用磁性アタッチメントを構成する永久磁石の周囲を被覆した永久磁石構造体と軟磁性体との間に作用する磁気吸引力を利用する方法が採用されてきている。即ちこの方法は、口腔内の顎堤部の支台歯となる残存歯の根管形成部には少なくとも口腔内側に軟磁性体を備えた歯科用キーパーの脚部を固設し、義歯床の顎堤側であって歯科用キーパーと対向する位置に永久磁石構造体を固設することで、歯科用キーパーの軟磁性体と永久磁石構造体との間に作用する磁気吸引力を利用して義歯を固定する方法であり、義歯の機能や審美性を何等損なうことがなく、義歯の口腔内への着脱が容易で、しかも清掃性が優れていることなどからその適用例は急速に増加してきている。
【０００３】
このような義歯用磁性アタッチメントを使用した義歯は、具体的には口腔内の顎堤部の支台歯となる残存歯の根管形成部内に、図６の従来の歯科用キーパーを使用した義歯用磁性アタッチメントを用いた部分の義歯と支台歯部分における縦断面説明図に示すように縦断面形状が略Ｔ字型に形成された根面部材の上端面に軟磁性体である金属平板が鋳接されている歯科用キーパーの根面部材が固設されたり、図７の従来のポストキーパー型の歯科用キーパーの正面図に示すような上端側の平板の裏面に先細の円錐台形の脚部が付属している軟磁性体で一体成型したポストキーパーと呼ばれる鋳接操作不要の歯科用キーパーの脚部が固設されたりしており、義歯床の顎堤側には、この歯科用キーパーと対向する位置に付設した穴に永久磁石構造体が接着剤や即時重合レジンにより固設されている。そして口腔内に義歯をセットする際には、歯科用キーパーと永久磁石との間に磁気吸引力が作用して義歯に固設されている永久磁石構造体が歯科用キーパーの軟磁性体に吸着されて容易に脱落することがなく、取り外す際には、磁気吸引力より大きい力を作用させることで容易に取り外すことが可能となるのである。
【０００４】
このように使用される義歯用磁性アタッチメントにおいて、完成した義歯が口腔内に安定して維持され、咀嚼時の咬合圧が加わった場合にも安定して咀嚼できるようにするためには、咬合圧を義歯床全体で受け止めて口腔粘膜面に伝えることが必要であり、そのためには歯科用キーパーの軟磁性体が支台歯となる残存歯の口腔内面側の位置より僅かに口腔内側に突出した位置に調整されていることが必要であり、突出量が大きすぎると咬合圧が支台歯部に集中して咬合痛を生じることがあり、また小さすぎると義歯床に固設されている永久磁石構造体と支台歯となる残存歯に固設されている歯科用キーパーの軟磁性体との間に隙間を生じて磁気吸着力が低下し、義歯の維持が不安定になってくる。
【０００５】
従来の歯科用キーパーは、口腔内形状を印象採得して作製した石膏模型上でワックスを用いて軟磁性体である平板が所定位置に埋設されている状態の縦断面形状が略Ｔ字型の根面部材形状を作製し、このワックスを軟磁性体である平板と共に耐火埋没材中に埋没した後に加熱してワックスを焼却させて作製した鋳型内に溶融した歯科用金銀パラジウム合金などの歯科用合金を流し込む鋳造により根面部材の上端面に軟磁性体である平板を固定する鋳接法によって作製されていたため、支台歯に対する軟磁性体の残存歯の口腔内面側位置を自由に設計できるが、その製作には煩雑な操作が多く、しかもこれらはすべて手作業であることから軟磁性体の口腔内面側位置を設計通りの高さに位置させることは非常に難しい。これは、鋳接作業が約１０００℃の高温状態で行われるため、軟磁性体の表面に酸化被膜が形成されてしまい、この酸化被膜除去のためのサンドブラスト処理やバフ研磨などを行わねばならないため軟磁性体の口腔内面側位置を残存歯の口腔内面側位置から所定量だけ正確に突出させた位置に位置させることが難しいからである。
【０００６】
また、従来のポストキーパーの場合には、上端側の平板及び脚部が軟磁性体で一体成型されているため前述したような面倒な鋳接操作は不要であるが、上端側の平板に付属している先細の円錐台形状の脚部は長さなどが一定の形状に規定されているため、上端側の平板の口腔内面側位置を残存歯の口腔内面側位置から所定量だけ突出させた位置に位置させるには、使用時に患者の口腔内の顎堤部の支台歯となる残存歯の根管形成部の深さに合わせて脚部の先端を精密寸法で切除することが必要であり、しかもこの切除すべき寸法は脚部を口腔内の支台歯となる残存歯の歯根部に挿入して正確に測定しなければならないので術者の勘に依存する作業であることから、平板の口腔内面側位置を残存歯の口腔内面側位置から所定量だけ突出させた位置に位置させることは非常に難しい。
【０００７】
【発明が解決しようとする課題】
本発明は、前述した如き従来の歯科用キーパーの欠点を解消し、煩雑な鋳接作業を行う必要がなく、また口腔内の顎堤部の支台歯となる残存歯の根管形成部に脚部を固設するに際し、ポストキーパーのように患者の支台歯となる残存歯の根管形成部の深さに合わせて脚部の先端を切除する必要がなく、患者の支台歯となる残存歯の根管形成部の深さに関係無く永久磁石構造体に吸着される軟磁性体の口腔内面側位置を直接患者の口腔内で理想的な位置に簡単且つ自由に調整することが可能な歯科用キーパーを提供することを課題とする。
【０００８】
【課題を解決するための手段】
本発明者らは前記課題を解決すべく鋭意研究の結果、歯科用キーパーをポスト部とこのポスト部に螺合する軟磁性体との二つの部材で構成する構造とし、ポスト部を患者の支台歯となる残存歯の根管形成部に挿入した状態においてポスト部に螺合させた軟磁性体をポスト部に対して回転させることでポスト部に対する軟磁性体の位置を自在に変化させて位置決めを行うことが出来ることを究明して本発明を完成した。
【０００９】
即ち本発明に係る歯科用キーパーは、磁気吸引力を利用した義歯用アタッチメントを永久磁石構造体と共に構成する歯科用キーパーであって、雄ねじ部に続いて先端側が先細の円錐台形の脚部が一体に設けられているポスト部と、該ポスト部の雄ねじ部に螺合される雌ねじ部が中心に螺設されておりポスト部に螺合された際にポスト部の脚部と反対側に位置する面が平滑な平面を成す軟磁性材料製の軟磁性体とから構成されていることを特徴とするものであり、軟磁性体としては雌ねじ部が貫通しているナット状である場合と、雌ねじ部が貫通していない袋ナット状である場合とのいずれの場合であってもよいのである。
【００１０】
【発明の実施の形態】
以下、図面に基づき本発明に係る歯科用キーパーについて詳細に説明する。
図１は本発明に係る歯科用キーパーの１実施例の縦断面図、図２は本発明に係る歯科用キーパーの他の実施例の縦断面図、図３は図１に示した歯科用キーパーのポスト部の雄ねじ部に軟磁性体を螺合して軟磁性体を所望の位置に位置決めした状態を示す縦断面説明図、図４は図３に示した状態とするためにポスト部の雄ねじ部の一部を切除してポスト部の雄ねじ部に軟磁性体を螺合して所望の位置に位置決めした状態を示す縦断面説明図、図５は図２に示した歯科用キーパーのポスト部の雄ねじ部に軟磁性体を螺合して軟磁性体を所望の位置に位置決めした状態を示す縦断面説明図である。
【００１１】
図面中、１は磁気吸引力を利用した義歯用アタッチメントを永久磁石構造体と共に構成する歯科用キーパーを構成する一方の部材であるポスト部であって、雄ねじ部1aに続いて先端側が先細の円錐台形の脚部1bが一体に設けられている。
このポスト部１は、図１に示す態様の場合には雄ねじ部1aの脚部1bと反対側の一部が切除されることが多いので雄ねじ部1aの長さは長めに形成されていることが好ましく、図２に示す態様の場合には雄ねじ部1aの脚部1bと反対側の一部が切除されることは少ないので雄ねじ部1aの長さは短かめに形成されていることが好ましい。
【００１２】
そして、このポスト部１の脚部1bは、患者の口腔内の顎堤部の支台歯となる残存歯に通常形成される根管形成部内に挿入される太さとなるように、通常雄ねじ部1a側は直径が0.6〜3.0mmで、雄ねじ部1aと反対側の先端の直径が0.3〜0.5mmで、長さが３〜５mmの均一なテーパーを有する円錐台形に設計されており、また表面積を大きくして残存歯の根管形成部への固着力を確実にするために表面が粗面化処理されていることが好ましい。
また、このポスト部１の雄ねじ部1aは、一部が根管形成部内に挿入可能なように通常直径が0.6〜3.0mmで、長さが後述する軟磁性体２の位置調整可能な長さとして通常３〜９mmであることが好ましい。
そして、このポスト部１はその強度があって且つ或る程度の耐食性を備えていればその材質に特に限定はない。
【００１３】
２は磁気吸引力を利用した義歯用アタッチメントを永久磁石構造体と共に構成する歯科用キーパーを構成する他方の部材である軟磁性体であって、ポスト部１の雄ねじ部1aに螺合される雌ねじ部2aが中心に螺設されておりポスト部１の雄ねじ部1aに螺合された際にポスト部１の脚部1bと反対側に位置する面が義歯床に固設されている永久磁石構造体に密着するように平滑な平面を成す軟磁性材料で構成されている。
【００１４】
この軟磁性体２としては、図１に示す態様のように雌ねじ部2aが貫通しているナット状である場合と、図２に示す態様のように雌ねじ部2aが貫通していない袋ナット状である場合とがあり、その平面形状は従来の歯科用キーパーと同様の大きさである外径が３〜５mmで、厚さは図１に示す態様のように雌ねじ部2aが貫通しているナット状である場合には0.5〜2.0mmが、図２に示す態様のように雌ねじ部2aが貫通していない袋ナット状である場合には1.0〜3.0mmが好ましい。そして、この軟磁性体２をポスト部１の雄ねじ部1aの長さの範囲で螺合位置を調整することで、軟磁性体２の口腔内側面の位置が調整されるのである。
【００１５】
この軟磁性体２を構成する軟磁性材料としては、口腔内において使用されるものであるから耐食性を有する16〜18Cr−balFe（SUS430），17〜20Cr−1.75〜2.5Mo−balFe（SUS444），28.5〜32.0Cr−1.5〜2.5Mo−balFe（SUS447J1）等のフェライト系ステンレス鋼が好ましく使用できる。
【００１６】
このような歯科用キーパーを口腔内で固設するには、予めポスト部１に軟磁性体２を螺合して、患者の口腔内の支台歯となる残存歯の根管形成部内にポスト部１を脚部1b側から挿入し、その位置で軟磁性体２を回転させることでポスト部１に対する軟磁性体２の位置、即ち軟磁性体の口腔内側面の位置を調整し位置決めする。この状態で軟磁性体２が図１に示すナット状の態様の場合にポスト部１の雄ねじ部1aが軟磁性体２より突出しているか否か、軟磁性体２が図２に示す袋ナット状の態様の場合に軟磁性体２の位置が調整できたか否かを確認する。しかる後に、軟磁性体２と共にポスト部１を口腔内より取り出す。ここで、図３に示すように軟磁性体２がナット状でポスト部１の雄ねじ部1aが軟磁性体２より突出している場合には、ポスト部１から軟磁性体２を取り外すか又は脚部1b側に締め込んで軟磁性体２から突出しているポスト部１の雄ねじ部1aの長さと同じか又はそれより僅かに長い長さだけポスト部１の雄ねじ部1aを例えば図３のＸ−Ｘ線で切除し、ポスト部１から軟磁性体２を取り外した場合には軟磁性体２をポスト部１の雄ねじ部1aに螺合して、患者の口腔内の支台歯となる残存歯の根管形成部内にポスト部１を脚部1b側から挿入し、その位置で軟磁性体２を回転させることでポスト部１に対する軟磁性体２の位置を図４のように調整し位置決めする。また、軟磁性体２が袋ナット状で軟磁性体２の位置が口腔内側に突出しすぎて調整できなかった場合にはポスト部１から軟磁性体２を取り外し、ポスト部１の雄ねじ部1aの先端を適当な長さだけ切除した後に軟磁性体２をポスト部１の雄ねじ部1aに螺合して、患者の口腔内の支台歯となる残存歯の根管形成部内にポスト部１を脚部1b側から挿入し、その位置で軟磁性体２を回転させることでポスト部１に対する軟磁性体２の位置を図５のように調整し位置決めする。
【００１７】
かかる操作において、ポスト部１と軟磁性体２とを完全に一体化するために、ポスト部１の雄ねじ部1aと軟磁性体２の雌ねじ部2aとの螺合部分を接着剤を介して接着しておくことが好ましいが、前述したようにポスト部１に対する軟磁性体２の位置が調整された歯科用キーパーは歯科用セメントを用いて患者の口腔内の支台歯となる残存歯の根管形成部に固設されるので、この歯科用セメントによって軟磁性体２とポスト部１とは共に固定されることになるので、軟磁性体２はポスト部１に対して回転できない状態となる。
【００１８】
【発明の効果】
以上に詳述した如く、本発明に係る歯科用キーパーは、ポスト部の脚部を患者の口腔内の支台歯となる残存歯の根管形成部内に挿入した状態で軟磁性体をポスト部に対して回転させる簡単な操作で永久磁石構造体に吸着される軟磁性体の口腔内側面の位置の調整を各患者にとって理想的な位置に確実且つ容易に行うことができ、従来のポストキーパーのように患者の口腔内の支台歯となる残存歯の根管形成部内に挿入して脚部の先端を精密な寸法で切除するという術者の勘に依存する作業が不要となったのである
そして、このような状態で患者の口腔内の支台歯となる残存歯の根管形成部に固設された歯科用キーパーに基づいて設計・作製された義歯は、口腔内で安定した維持力で保持され、咀嚼時の咬合圧を義歯床全体で受け止めて口腔粘膜面に伝えることが可能となり、咬合痛を感じたりズレや脱落を生じることのない理想的な義歯が得られるものであり、歯科医療に貢献するところ極めて大なるものである。
【図面の簡単な説明】
【図１】本発明に係る歯科用キーパーの一実施例の縦断面図である。
【図２】本発明に係る歯科用キーパーの他の実施例の縦断面図である。
【図３】図１に示した歯科用キーパーのポスト部の雄ねじ部に軟磁性体を螺合して軟磁性体を所望の位置に位置決めした状態を示す縦断面説明図である。
【図４】図３に示した状態とするためにポスト部の雄ねじ部の一部を切除してポスト部の雄ねじ部に軟磁性体を螺合して所望の位置に位置決めした状態を示す縦断面説明図である。
【図５】図２に示した歯科用キーパーのポスト部の雄ねじ部に軟磁性体を螺合して軟磁性体を所望の位置に位置決めした状態を示す縦断面説明図である。
【図６】従来の歯科用キーパーを使用した義歯用磁性アタッチメントを用いた部分の義歯と支台歯部分における縦断面説明図である。
【図７】従来のポストキーパー型の歯科用キーパーの正面図である。
【符号の説明】
１  ポスト部
1a  雄ねじ部
1b  脚部
２  軟磁性体
2a  雌ねじ部
Ｘ  ポスト部の雄ねじ部の切除位置
【図１】
0004536287.tif 000002
【図２】
0004536287.tif 000003
【図３】
0004536287.tif 000004
【図４】
0004536287.tif 000005
【図５】
0004536287.tif 000006
【図６】
0004536287.tif 000007
【図７】
0004536287.tif 000008